(57)【要約】【課題】ＩＰ網をＰＳＴＮに接続し全国規模で相互通話を行う場合に、通話中の一方の電話機からの保留操作により他方の電話機に送出する保留音をＰＳＴＮの交換機が具備している保留音源を利用し、ＩＰ網でのトラフィックの増加を抑制し、保留音源の保守管理についても従来通りの手間で行うことを可能にする。【解決手段】ＩＰ網４をＰＳＴＮに接続するゲートウェイ装置１内にＩＰ網４に収容された保留電話機４１の送出する保留音送出指示を検出する保留音送出指示検出手段３１と、交換機２の通話路２０を通して接続される被保留電話機４０に対し交換機２の保留音源２１からの保留音かＩＰ網４に収容される保留電話機４１のいずれかを切替制御部３２の制御により切り替える切替手段３０と、保留音送出指示検出手段３１の保留音送出指示を受信し、切替手段３０に対し被保留電話機４０へ保留音を送出する制御を行う切替制御部３２を備える。【選択図】      図１
2005006010.tif 000002
【特許請求の範囲】
【請求項１】
公衆交換電話網とＩＰ網との間に位置し、音声通話信号の中継を行うゲートウェイ装置において、該ゲートウェイ装置内に通話中の一方の保留側となる電話機が送出する保留音送出指示を検出する保留音送出指示検出手段と、前記公衆交換電話網を構成する交換機の通話路とＩＰ網との間を接続すると共に、交換機が備える保留音源が接続され、他方の被保留側となる電話機に保留音を送信するように接続を切替る切替手段と、前記保留音送出指示検出手段からの保留音送出指示を受信し、前記切替手段に対して被保留電話機へ保留音を送出する切替の制御を行う切替制御手段とを備えることを特徴とするゲートウェイ装置。
【請求項２】
公衆交換電話網とＩＰ網との間に位置し、音声通話信号の中継を行うゲートウェイ装置における保留音送出方法において、通話中の一方の保留側となる電話機が送出する保留音送出指示を検出し、検出された保留音送出指示により、前記公衆交換電話網を構成する交換機が備える保留音源からの保留音を、他方の被保留側となる電話機に送信することを特徴とする保留音送出方法。
【発明の詳細な説明】
【０００１】
【発明の属する技術分野】
本発明は、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋ）とＩＰ網とを接続するゲートウェイ装置及び保留音送出方法に係り、特に、ＩＰ網に収納された電話機とＰＳＴＮに収容された電話機とが通話中に、一方の電話機から他方の電話機を保留する際の被保留側電話機への保留音の送出に使用して好適なゲートウェイ装置及び保留音送出方法に関する。
【０００２】
【従来の技術】
従来技術によるＰＳＴＮ及びＩＰ網における保留音送出は、一般に、次に説明するような方法により行われている。
【０００３】
交換機により構成されるＰＳＴＮの保留音の送出は、交換機内に保留音源を備え、保留電話機からの保留指示を交換機が受信したことを契機に、交換機内の通話路に設定している保留電話機と被保留電話機との接続パスを保留音源と被保留電話機との接続パスに切り替え、保留音を被保留電話機に送出するという方法で行われている。なお、この種のＰＳＴＮにおける保留音送出方法に関する従来技術として、例えば、非特許文献１に記載された技術が知られている。
【０００４】
一方、ルータ及びサーバで構成されるＩＰ網の保留音の送出方法には２つの方法がある。１つの方法は、電話機内に保留音源を持ち、保留電話機からの保留指示パケットを被保留電話機が受信したことにより、被保留電話機内部の保留音源からの保留音を受話器を通して通話者に聞かせるという方法である。もう１つの方法は、ＩＰ網上に保留音源サーバを具備し、保留電話機からの保留指示パケットを受信した保留音源サーバが、被保留電話機に対して保留音を音声パケットとして送信するという方法である。この種のＩＰ網における保留音送出方法に関する従来技術として、例えば、特許文献１に記載された技術が知られている。
【０００５】
ＩＰ網とＰＳＴＮとが接続されたネットワークにおいて、相互に保留音を送出する方法に関する技術は、現在までに知られているものはないが、ゲートウェイ装置内に保留音源を具備し、保留電話機からの保留指示パケットの受信により被保留電話機に保留音を送出するという方法が考えられる。
【０００６】
【非特許文献１】
電子通信学会編著  昭和６１年３月１５日  初版発行  千葉正人監修
ディジタル交換方式（第８５頁〜第１１１頁）
【０００７】
【特許文献１】
特開２００２−２０９０２５号公報
【０００８】
【発明が解決しようとする課題】
ＩＰ網をＰＳＴＮに接続し全国規模で相互通話を行う場合であって、ＩＰ網に収容される電話機の保留操作によりＰＳＴＮに収容される電話機に保留音を送出しようとする場合、前述した従来技術は、以下に説明するような課題を解決する必要がある。
【０００９】
一般に、ＩＰ網により音声通信を行う場合、音声パケットの遅延はできるだけ少ないことが望ましいが、ネットワーク全体のトラフィックが増大するとパケットの遅延が大きくなり、さらに、パケットの欠落が発生することがあり音声品質が悪化することが考えられる。このため、今日まで、圧縮技術によってネットワーク全体のトラフィックの増加を抑制しようという努力がされている。
【００１０】
ＩＰ網上の保留音源サーバから保留音を音声パケットとして送出するという前述した従来技術による方法は、ＩＰ網のトラヒックの増加を抑制するという前述り観点から必ずしも好ましい方法とは言えないものである。
【００１１】
また、ＩＰ網とＰＳＴＮとを接続したネットワークにより全国規模での通話サービスをするためには、ＰＳＴＮにおける交換機の場合と同様に、ゲートウェイ装置を全国に設置する必要がある。この場合、ゲートウェイ装置内に保留音源を具備する従来技術は、交換機やゲートウェイ装置を保守管理する立場からすると、これまでの交換機の音源の管理に加えゲートウェイ装置の音源管理も必要になり、音源管理の低減を図る必要が生じる。
【００１２】
本発明の目的は、前述した従来技術における課題を解決し、ＩＰ網をＰＳＴＮに接続し全国規模で相互通話のサービスを行う場合に、ＩＰ網に収容される電話機とＰＳＴＮに収容される電話機とが通話中に、一方の電話機からの保留操作により他方の電話機に保留音を送出する手段として、ＰＳＴＮの交換機が具備している保留音源を利用することにより、ＩＰ網でのトラフィックの増加を抑制し、保留音源の保守管理についても従来通りの手間で行うことができるようにしたゲートウェイ装置及び保留音送出方法を提供することにある。
【００１３】
【課題を解決するための手段】
本発明によれば前記目的は、公衆交換電話網とＩＰ網との間に位置し、音声通話信号の中継を行うゲートウェイ装置において、該ゲートウェイ装置内に通話中の一方の保留側となる電話機が送出する保留音送出指示を検出する保留音送出指示検出手段と、前記公衆交換電話網を構成する交換機の通話路とＩＰ網との間を接続すると共に、交換機が備える保留音源が接続され、他方の被保留側となる電話機に保留音を送信するように接続を切替る切替手段と、前記保留音送出指示検出手段からの保留音送出指示を受信し、前記切替手段に対して被保留電話機へ保留音を送出する切替の制御を行う切替制御手段とを備えることにより達成される。
【００１４】
また、前記目的は、公衆交換電話網とＩＰ網との間に位置し、音声通話信号の中継を行うゲートウェイ装置における保留音送出方法において、通話中の一方の保留側となる電話機が送出する保留音送出指示を検出し、検出された保留音送出指示により、前記公衆交換電話網を構成する交換機が備える保留音源からの保留音を、他方の被保留側となる電話機に送信することにより達成される。
【００１５】
【発明の実施の形態】
以下、本発明によるゲートウェイ装置及び保留音送出方法の実施形態を図面により詳細に説明する。
【００１６】
図１は本発明の一実施形態によるゲートウェイ装置を備えたＩＰ網とＰＳＴＮとを接続したネットワークの基本的な構成を示すブロック図である。図１において、１はゲートウェイ装置、２は交換機、４はＩＰ網、２０は通話路、２１は保留音源、３０は切替手段、３１は保留音送出指示検出部、３２は切替制御部、４０は被保留電話機、４１は保留電話機である。
【００１７】
ＩＰ網とＰＳＴＮとを接続したネットワークは、図１に示すように、ＰＳＴＮを構成する交換機２とＩＰ網４とをゲートウェイ装置１により接続した基本的な構成を有する。ＰＳＴＮを構成する交換機２は、通話路２０と、通話路２０に接続された保留音源２１とを備え、多数の加入者電話機を収容している。図１には、被保留側となって保留音を受信する被保留電話機４０のみを示している。また、ＰＳＴＮを構成する交換機２とＩＰ網４とを接続するゲートウェイ装置１は、交換機２とＩＰ網４と間の接続を行い、音声通話信号の中継を行うと共に、接続されている交換機２の保留音源２１からの保留音を被保留電話機４０に送出するように接続替えを行う切替手段３０と、ＩＰ網４に収容されている電話機、ここでは、保留電話機４１として示す電話機からの保留指示を受ける保留音送出指示検出部３１と、この検出部３１からの指示により保留音を被保留電話機４０に送出するように切替手段３０を制御する切替制御部３２とを備えている。
【００１８】
いま、前述したように構成されるＩＰ網とＰＳＴＮとを接続したネットワークを介して２台の電話機、図１に示す例の場合、ＩＰ網４に収容されている保留電話機４１と被保留電話機４０とが通話を行っているものとする。そして、ＩＰ網４に収容されている保留電話機４１が相手電話機を保留状態にし保留音送出を指示する指示パケットを送信したものとする。このとき、ゲートウェイ装置１の保留音送出指示検出部３１は、保留電話機４１の送出する保留音送出指示を検出し、切替制御部３２に切替手段３０の切替を指示する。この指示を受けた切替制御部３２は、保留音を被保留電話機４０に送出するように切替手段３０を制御する。
【００１９】
図２は本発明が適用される通信網の構成例を示す図であり、次に、これについて説明する。図２において、１−１〜１−Ｎはゲートウェイ装置、２−１〜２−Ｎは交換機、３はＰＳＴＮ、４−１〜４−ＮはＩＰ網、５−１〜５−ＮはＩＰ網（Ｈ．３２３）、６−１〜６−ＮはＩＰ網（ＳＩＰ）、７−１〜７−Ｎはゲートキーパ、８−１〜８−ＮはＳＩＰサーバ、９−１〜９−ＪはＩＰ端末（Ｈ．３２３端末）、１０−１〜１０−ＫはＩＰ端末（ＳＩＰ端末）、１１−１〜１１−Ｌは電話機である。
【００２０】
図２に示すように、本発明が適用される通信網は、多数の交換機２（２−１〜２−Ｎ）により構成されるＰＳＴＮ３と、多数のＩＰ網４（４−１〜４−Ｎ）とを本発明によるゲートウェイ装置１（１−１〜１−Ｎ）により相互に接続して構成される。そして、交換機２には多数の電話機が収容され、また、ＩＰ網４には多数のＩＰ端末が収容されており、電話機相互間、ＩＰ端末相互間、電話機とＩＰ端末相互間で音声による通話が可能である。
【００２１】
前述したように構成される通信網において、本発明によるゲートウェイ装置１（１−１〜１−Ｎ）は、ＰＳＴＮ３（例えば、電話通信サービス会社が提供するディジタル交換網）を構成し、かつ、電話機１１（１１−１〜１−Ｌ）を収容する交換機２と、ＩＴＵ−Ｔ勧告  Ｈ．３２３で示される呼制御プロトコルやＩＥＴＦ（Ｉｎｔｅｒｎｅｔ  Ｅｎｇｉｎｅｅｒｉｎｇ  Ｔａｓｋ  Ｆｏｒｃｅ）標準のＳＩＰ（Ｓｅｓｓｉｏｎ  Ｉｎｉｔｉａｔｉｏｎ  Ｐｒｏｔｏｃｏｌ）等の各種通信プロトコルにより通信が可能な機器で構成する通信サービス会社が提供するＩＰ網４との相互間をＨＵＢやルータを介して接続する、ＰＳＴＮ３とＩＰ網４との間の音声通信インタフェース装置となる。図２に示す例には、本発明を説明するのために、ＩＰ網４の内部に、通信プロトコルの中でも特に  Ｈ．３２３により通信可能な機器の群を１つの網としてＩＰ網（Ｈ．３２３）５（５−１〜５−Ｎ）と表記し、通信プロトコルの中でも特にＳＩＰによりて通信可能な機器の群を１つの網としてＩＰ網（ＳＩＰ）６（６−１〜６−Ｎ）と表記している。ＩＰ網（Ｈ．３２３）５もＩＰ網（ＳＩＰ）６も論理的な接続を表す網であり、共に、物理的にはＩＰ網４に接続されていてよい。
【００２２】
ＩＰ網（Ｈ．３２３）５は、Ｈ．３２３  における呼制御機能を有するゲートキーパ７（７−１〜７−Ｎ）と、ＩＰ端末（Ｈ．３２３端末）９（９−１〜９−Ｊ）とにより構成される。ＩＰ網（ＳＩＰ）６は、ＳＩＰにおける呼制御機能を有するＳＩＰサーバ８（８−１〜８−Ｎ）と、ＩＰ端末（ＳＩＰ端末）１０（１０−１〜１０−Ｋ）とにより構成される。ゲートウェイ装置１は、電話機１１と、ＩＰ端末（Ｈ．３２３端末）９またはＩＰ端末（ＳＩＰ端末）１０との間の通話に際して、ＰＳＴＮ３とＩＰ網４との間で通信される呼制御信号や音声信号の相互変換機能を有する。
【００２３】
本発明の実施形態は、前述したような網構成において、ＰＳＴＮ３を構成する交換機２が具備している保留音源を利用することにより、ＩＰ網でのトラフィックの増加抑制に寄与しつつ、保留音源の保守管理についても従来通りの手順で行うことが可能として保留音の送出を行うことができる。
【００２４】
図３は本発明の一実施形態によるゲートウェイ装置の構成と、ＩＰ網とＰＳＴＮとを接続したネットワークでの保留音の送出を説明するブロック図である。図３において、２２は中央制御装置、５０は時分割スイッチ部、５１は圧縮伸長部、５２はＩＰパケット処理部、５３はゲートウェイ制御部、５４は呼制御プロトコル処理部、６０は一般電話機、６１はＩＰ電話機であり、他の符号は図１の場合と同一である。
【００２５】
図３に示すネットワーク構成は、図１により説明した基本構成と同様なものであり、交換機２とゲートウェイ装置１との構成をより詳細に示している。図３に示す一般電話機６０は、図１における被保留電話機４０に相当し、図２の説明から明らかなように、図３には示していない交換機に収容されている。また、図３に示すＩＰ電話機６１は、図１における保留電話機４１に相当し、図３には示していないルータ、ハブ等を介してＩＰ網４に接続される。
【００２６】
ＰＳＴＮを構成する交換機２は、通話路２０と、通話路２０に接続された保留音源２１と、これらを制御するための中央制御装置２２が備えられている。ＰＳＴＮを構成する交換機２とＩＰ網４とを接続するゲートウェイ装置１は、時分割スイッチ部５０、圧縮伸長部５１、ＩＰパケット処理部５２、ゲートウェイ制御部５３、呼制御プロトコル処理部５４を備えて構成されている。そして、時分割スイッチ部５０、圧縮伸長部５１、ＩＰパケット処理部５２が、図１に示す切替手段を構成しており、呼制御プロトコル処理部５４が図１に示す保留音送出指示検出部３１の機能を有し、さらに、ゲートウェイ制御部５３が図１に示す切替制御部３２の機能を有している。
【００２７】
前述において、交換機２内の中央制御装置２２は、通話路２０に対し通話パスの設定及び切断の制御を行い、また、ゲートウェイ装置１との通話の開始、終了の指示及び呼設定情報の送受を行う。ゲートウェイ装置１内の時分割スイッチ部５０は、交換機２内の通話路２０側の通話チャネルと圧縮伸長部５１側の通話チャネルとの間のスイッチングを行う。圧縮伸長部５１は、時分割スイッチ部５０からの音声データの圧縮とＩＰパケット処理部５２からの音声データの伸長を行う。ＩＰパケット処理部５２は、圧縮伸長部５１からの音声データのＩＰパケット化とＩＰ網４からのＩＰパケットの音声データ化を行う。呼制御プロトコル処理部５４は、ＩＰ網４に収容されたＩＰ電話機６１との呼設定及び切断のプロトコル手順を実施する。ゲートウェイ制御部５３は、中央制御装置２２との通話の開始、終了の指示及び呼設定に必要な情報の送受と、時分割スイッチ部５０のパス設定と、圧縮伸長部５１及びＩＰパケット処理部５２の動作モード設定とを行う。また、ゲートウェイ制御部５３は、ＩＰ電話機６１からの発呼要求を呼制御プロトコル部５４を経て受信して中央制御装置２２に通知すると共に、一般電話機６０からの発呼要求を中央制御装置２２を経て受信して呼制御プロトコル処理部５４に通知する。
【００２８】
図４は本発明の実施形態による保留音送出の動作を説明するシーケンス図であり、次に、図４を参照して、本発明の実施形態による保留音送出の動作を説明する。
【００２９】
いま、一般電話機６０がＰＳＴＮ３を介して交換機２に接続され、ＩＰ電話機６１がＩＰ網４を介してゲートウェイ装置１に接続され、一般電話機６０とＩＰ電話機６１とが、交換機２の通話路２０及びゲートウェイ装置１の時分割スイッチ部５０により接続され通話を行っているものとする。このとき、時分割スイッチ部５０は、図３に示すパスＰ１を設定している。
【００３０】
前述したような通話中の状態で、ＩＰ電話機６１が一般電話機６０に対し保留を行う場合、使用者は、保留をするための予め定められている操作を行う。保留をする操作により、ＩＰ電話機６１から保留指示パケット１００が送出される。この保留指示パケット１００は、ＩＰパケット処理部５２で受信処理が施され、ＩＰパケット処理部５２は、呼制御プロトコル処理部５４に受信した保留指示パケット１１０を送信する。呼制御プロトコル処理部５４は、受信したＩＰパケットの意味を解釈し、解釈した結果、保留指示であることが解るので、ゲートウェイ制御部５３に保留指示１２０を通知する。
【００３１】
ゲートウェイ制御部５３は、時分割スイッチ部５０に対しパスＰ１を開放し、パスＰ２を設定するパス切替え制御１３０を行う。これにより、時分割スイッチ部５０は、パスＰ１を開放しパスＰ２を設定する。保留音源２１は、予め通話路２０の特定のパスを介して常に時分割スイッチ部５０に接続しておく。従って、これにより、一般電話機６０に保留音２００が送出される。
【００３２】
ＩＰ電話機６１が保留を解除する場合、使用者は、保留を解除するための予め定められた操作を行う。この保留を解除する操作により、ＩＰ電話機６１は、保留解除パケット１４０を送出する。ＩＰパケット処理部５２は、保留解除パケット１４０の受信処理を行い、受信した保留解除パケット１５０を呼制御プロトコル処理部５４に送信する。呼制御プロトコル処理部５４は、受信したＩＰパケットの意味を解釈し、解釈した結果、保留解除であることが解るので、ゲートウェイ制御部５３に保留解除１６０を通知する。ゲートウェイ制御部５３は、時分割スイッチ部５０に対しパスＰ２を開放しパスＰ１を設定するパス切戻し制御１７０を行う。時分割スイッチ部５０は、パスＰ２を開放しパスＰ１を設定する。これにより、一般電話機６０は、保留が解かれ、保留音２００が停止してＩＰ電話機６１との通話を再開することができる。
【００３３】
前述した本発明の実施形態によれば、ＩＰ網をＰＳＴＮに接続し全国規模で相互通話を行う場合に、ＩＰ網に収容される電話機の保留操作によりＰＳＴＮに収容される電話機に保留音を送出する手段として、ＰＳＴＮの交換機が備える保留音源を使用することができるので、ＩＰ網でのトラフィックの増加の抑制に寄与し、保留音源の保守管理についても従来通りの手間で行うことができる。
【００３４】
前述した本発明の実施形態は、ＩＰ網に収容される電話機の保留操作によりＰＳＴＮに収容される電話機に保留音を送出するものとして、その動作を説明したが、本発明は、ＰＳＴＮに収容される電話機の保留操作によりＩＰ網に収容される電話機に保留音を送出する場合にも適用することができる。この場合、ゲートウェイ装置１のＩＰパケット処理部５２が、ＰＳＴＮに収容される電話機からの保留操作による保留指示を受信処理して、前述したと同様に、時分割スイッチ部５０の切替制御を行えばよい。但し、この場合、ＩＰ網４でのトラフィック量を低減することができず、単に、保留音サーバが不要になるという利点しか得られない点に注意を要する。
【００３５】
また、ＰＳＴＮに収容される電話機の保留操作によりＩＰ網に収容される電話機に保留音を送出する場合に、ゲートウェイ装置１のＩＰパケット処理部５２が、ＰＳＴＮに収容される電話機からの保留操作による保留指示を受信処理し、保留指示パケットを生成してＩＰ網に収容される電話機に送信し、ＩＰ網に収容される電話機が自電話機内の保留音源からの保留音を受話器に出力するようにしてもよい。
【００３６】
本発明は、ＰＳＴＮ−ＩＰ網−ＰＳＴＮのように接続されたネットワークを介して、ＰＳＴＮに収容されている一般電話機が相互に接続されるような場合にも適用することができる。
【００３７】
【発明の効果】
以上説明したように本発明によれば、ＩＰ網に収容される電話機とＰＳＴＮに収容される電話機と通話中一方の電話機の保留操作により他方の電話機に保留音を送出する手段として、ＰＳＴＮの交換機が備える保留音源を使用することができるので、保留音源をＩＰ網に備える必要がなく、保留音源の保守管理を従来通りの手間で行うことができ、また、ＩＰ網に収容される電話機の保留操作によりＰＳＴＮに収容される電話機に保留音を送出する場合、ＩＰ網でのトラフィックの増加を抑制することができる。
【図面の簡単な説明】
【図１】本発明の一実施形態によるゲートウェイ装置を備えたＩＰ網とＰＳＴＮとを接続したネットワークの基本的な構成を示すブロック図である。
【図２】本発明が適用される通信網の構成例を示す図である。
【図３】本発明の一実施形態によるゲートウェイ装置の構成と、ＩＰ網とＰＳＴＮとを接続したネットワークでの保留音の送出を説明するブロック図である。
【図４】本発明の実施形態による保留音送出の動作を説明するシーケンス図である。
【符号の説明】
１、１−１〜１−Ｎ  ゲートウェイ装置
２、２−１〜２−Ｎ  交換機
３  公衆交換電話網（ＰＳＴＮ）
４、４−１〜４−Ｎ  ＩＰ網
５−１〜５−Ｎ  ＩＰ網（Ｈ．３２３）
６−１〜６−Ｎ  ＩＰ網（ＳＩＰ）
７−１〜７−Ｎ  ゲートキーパ
８−１〜８−Ｎ  ＳＩＰサーバ
９−１〜９−Ｊ  ＩＰ端末（Ｈ．３２３端末）
１０−１〜１０−Ｋ  ＩＰ端末（ＳＩＰ端末）
１１−１〜１１−Ｌ  電話機
２０  通話路
２１  保留音源
３０  切替手段
３１  保留音送出指示検出部
３２  切替制御部
４０  被保留電話機
４１  保留電話機
２２  中央制御装置
５０  時分割スイッチ部
５１  圧縮伸長部
５２  ＩＰパケット処理部
５３  ゲートウェイ制御部
５４  呼制御プロトコル処理部
６０  一般電話機
６１  ＩＰ電話機
【図１】
2005006010.tif 000003
【図２】
2005006010.tif 000004
【図３】
2005006010.tif 000005
【図４】
2005006010.tif 000006